(57)【要約】【課題】記録媒体カートリッジに設けられるシャッタの誤開放の防止をより強固に図る。【解決手段】シャッタ機構のロック／ロック解除を行うロック／ロック解除部が有する駆動素子に対する通電によらなければ、シャッタ機構のロック／ロック解除を行うことができないようにする。このことで、例えばメカ機構や磁力を利用した従来のロック／解除機構とする場合と比較して、シャッタの誤開放が生じる可能性をより低くすることができる。【選択図】図７
2010211851.tif 000002
【特許請求の範囲】
【請求項１】
内部に記録媒体を格納し、且つ上記記録媒体への記録／再生を可能とするための開口部が形成された筐体と、
上記開口部を開／閉するように開閉自在に上記筐体に対して設けられたシャッタ機構と、
上記シャッタ機構の一部を係止する係止部材と、電力の供給に応じて上記係止部材を動かす駆動素子とを備えることで上記シャッタ機構のロック／ロック解除を行うロック／ロック解除部と
を備える記録媒体カートリッジ。
【請求項２】
上記駆動素子はソレノイドアクチュエータである請求項１に記載の記録媒体カートリッジ。
【請求項３】
上記駆動素子はリニアモータである請求項１に記載の記録媒体カートリッジ。
【請求項４】
上記駆動素子は回転モータである請求項１に記載の記録媒体カートリッジ。
【請求項５】
上記駆動素子はバイメタルであり、
上記ロック／ロック解除部は、
電力の供給に応じた上記バイメタルの変形を利用して上記係止部材を動かすように構成されている
請求項１に記載の記録媒体カートリッジ。
【請求項６】
上記駆動素子は形状記憶合金であり、
上記ロック／ロック解除部は、
電力の供給に応じた上記形状記憶合金の変形を利用して上記係止部材を動かすように構成されている
請求項１に記載の記録媒体カートリッジ。
【請求項７】
上記駆動素子への外部からの電力供給を受けるための電極端子を備える請求項１に記載の記録媒体カートリッジ。
【請求項８】
上記電極端子と共にダミー電極を備える請求項７に記載の記録媒体カートリッジ。
【請求項９】
上記駆動素子への外部からの電力供給を受けるための非接触電力受信部を備える請求項１に記載の記録媒体カートリッジ。
【請求項１０】
内部に記録媒体を格納し、且つ上記記録媒体への記録／再生を可能とするための開口部が形成された筐体と、上記開口部を開／閉するように開閉自在に上記筐体に対して設けられたシャッタ機構と、上記シャッタ機構の一部を係止する係止部材と、電力の供給に応じて上記係止部材を動かす駆動素子とを備えることで上記シャッタ機構のロック／ロック解除を行うロック／ロック解除部とを備える記録媒体カートリッジについて、上記シャッタ機構のロック／ロック解除を行う駆動装置であって、
上記駆動素子に対する電力の供給を行って上記駆動素子を駆動する駆動部と、
上記駆動部を制御して上記ロック／ロック解除部による上記シャッタ機構のロック／ロック解除を実行させる駆動制御部と
を備える駆動装置。
【請求項１１】
上記記録媒体カートリッジには、上記駆動素子への外部からの電力供給を受けるためのカートリッジ側電極端子が備えられ、
上記駆動部は、
上記カートリッジ側電極端子に対して接続される装置側電極端子を介して上記駆動素子に対する電力供給を行う
請求項１０に記載の駆動装置。
【請求項１２】
上記記録媒体カートリッジには、上記駆動素子への外部からの電力供給を受けるための非接触電力受信部が備えられ、
上記駆動部は、
上記駆動制御部からの制御に基づき上記非接触電力受信部に対する非接触による電力送信を行うように構成されている
請求項１０に記載の駆動装置。
【請求項１３】
内部に記録媒体を格納し、且つ上記記録媒体への記録／再生を可能とするための開口部が形成された筐体と、上記開口部を開／閉するように開閉自在に上記筐体に対して設けられたシャッタ機構と、上記シャッタ機構の一部を係止する係止部材と、電力の供給に応じて上記係止部材を動かす駆動素子とを備えることで上記シャッタ機構のロック／ロック解除を行うロック／ロック解除部とを備える記録媒体カートリッジについて、上記シャッタ機構のロック／ロック解除を行うシャッタロック／解除方法であって、
上記駆動素子に対する電力供給を制御して上記ロック／ロック解除部による上記シャッタ機構のロック／ロック解除を実行させる
シャッタロック／解除方法。
【発明の詳細な説明】
【技術分野】
【０００１】
本発明は、開口部の形成された筐体の内部に記録媒体を格納した記録媒体カートリッジとして、特に上記開口部を覆う開閉自在のシャッタについてのロック部を備える記録媒体カートリッジに関する。また、上記シャッタのロック／ロック解除を行う駆動装置、さらには上記シャッタのロック／解除方法に関する。
【先行技術文献】
【特許文献】
【０００２】
【特許文献１】特開昭６０−２８０８７号公報
【特許文献２】特開２００４−９４９９８号公報
【特許文献３】特開２００４−９４９９９号公報
【背景技術】
【０００３】
従来より、その筐体内部に光ディスク記録媒体などの情報記録媒体を格納した記録媒体カートリッジが知られている。
このような記録媒体カートリッジには、通常、その筐体に対してドライブ装置側による情報の記録／再生のためのアクセスを可能とするための開口部が形成されており、またこの開口部を覆う開閉自在のシャッタが備えられている。このシャッタは、上記ドライブ装置が上記記録媒体についての記録／再生を行う際には開放状態（つまり上記記録媒体がカートリッジ外界に対し露出された状態）とされ、また記録／再生の終了などに応じて上記カートリッジをイジェクトする際には、閉状態（つまり上記記録媒体が外界に対し非露出の状態）となるようにその開閉が制御される。
【０００４】
また、上記のようなシャッタを有するカートリッジには、上記シャッタのロック機構（シャッタロック機構）を備えるものがある。
このようなシャッタロック機構の具体例としては、メカ機構を利用したものを挙げることができる。メカ機構を利用したシャッタロック機構としては、例えばシャッタが閉じた状態においてシャッタの一部をメカ的な機構で係止しておき、開放時には、ドライブ装置側に設けられたピンや爪などによって上記シャッタの係止状態を解除することで、シャッタのロック状態を解除するといった機構を挙げることができる。
【０００５】
或いは、シャッタロック（解除）機構としては、上記による特許文献に記載されるように磁力を利用したものも提案されている。
すなわちこの場合、カートリッジにおけるロック機構は、外部からの磁力の作用によりそのロック状態が解除されるように構成されており、これに応じドライブ装置側では、自らの側に備えられた磁石などの磁性体を上記ロック機構に近づけることで、上記シャッタのロック／ロック解除を行うようにされる。
【発明の概要】
【発明が解決しようとする課題】
【０００６】
しかしながら、上記のような従来のシャッタロック機構は、いずれもシャッタが誤開放されてしまう虞がある。
例えば、上記メカ機構を利用したロック（解除）機構では、ドライブ装置外であっても、ユーザが針やペン先などを用いて容易にシャッタロックを解除できてしまう。
また、磁力を利用したシャッタロック（解除）機構としても、例えばユーザがカートリッジに磁性体を近づけることで比較的容易にシャッタロックを解除できてしまう場合がある。
【０００７】
カートリッジに設けられたシャッタ機構は、内部に格納される記録媒体への埃の付着や傷の防止などを意図して設けられるものであり、従ってドライブ装置外でシャッタが誤開放されてしまうことは記録／再生性能の低下を招くものとなる。
この点より、ドライブ装置外でのシャッタの誤開放は防止されるべきものとなる。
【０００８】
また、特に近年開発の進むホログラム記録媒体（ホログラフィックメモリ）は、外部光に曝されることで記録材料が反応してしまう虞があり、従ってこのようなホログラム記録媒体を格納するカートリッジにおいてシャッタが誤開放されてしまった場合には、記録媒体が使用不能となってしまう虞がある。すなわちこの場合には、特にシャッタの誤開放の防止がより強固に図られるべきものとなる。
【課題を解決するための手段】
【０００９】
本発明では以上のような問題点に鑑み、記録媒体カートリッジとして以下のように構成することとした。
すなわち、本発明の記録媒体カートリッジは、内部に記録媒体を格納し、且つ上記記録媒体への記録／再生を可能とするための開口部が形成された筐体と、上記開口部を開／閉するように開閉自在に上記筐体に対して設けられたシャッタ機構とを備える。
また、上記シャッタ機構の一部を係止する係止部材と、電力の供給に応じて上記係止部材を動かす駆動素子とを備えることで上記シャッタ機構のロック／ロック解除を行うロック／ロック解除部を備えるものである。
【００１０】
また、本発明では駆動装置として以下のように構成することとした。
つまり、本発明の駆動装置は、内部に記録媒体を格納し、且つ上記記録媒体への記録／再生を可能とするための開口部が形成された筐体と、上記開口部を開／閉するように開閉自在に上記筐体に対して設けられたシャッタ機構と、上記シャッタ機構の一部を係止する係止部材と、電力の供給に応じて上記係止部材を動かす駆動素子とを備えることで上記シャッタ機構のロック／ロック解除を行うロック／ロック解除部とを備える記録媒体カートリッジについて、上記シャッタ機構のロック／ロック解除を行う駆動装置であって、上記駆動素子に対する電力の供給を行って上記駆動素子を駆動する駆動部を備える。
また、上記駆動部を制御して上記ロック／ロック解除部による上記シャッタ機構のロック／ロック解除を実行させる駆動制御部を備えるものである。
【００１１】
上記本発明の記録媒体カートリッジによれば、上記ロック／ロック解除部が有する駆動素子に対する通電によらなければシャッタ機構のロック／ロック解除を行うことができないものとなる。このことで、例えばメカ機構や磁力を利用した従来のロック／解除機構とする場合と比較して、シャッタの誤開放が生じる可能性をより低くすることができる。
【発明の効果】
【００１２】
本発明によれば、内部に記録媒体を格納する記録媒体カートリッジに設けられたシャッタの誤開放が生じる可能性を従来より低くすることができる。
このことで、シャッタが誤開放されることに伴う記録／再生性能の悪化を効果的に抑制できる。
また、特に近年開発が進むホログラム記録媒体のように、外部光に曝されることで記録材料が反応してしまう虞のある記録媒体を格納する記録媒体カートリッジとされる場合には、記録媒体が使用不能となってしまう事態の発生の防止をより強固に図ることができる。
【図面の簡単な説明】
【００１３】
【図１】実施の形態としての記録媒体カートリッジの分解斜視図である。
【図２】実施の形態としての記録媒体カートリッジが備えるロータの構造を示した図である。
【図３】シャッタが閉切り状態のときのロック／ロック解除部の様子を記録媒体カートリッジの下側からみた図である。
【図４】シャッタが開放状態のときのロック／ロック解除部の様子を記録媒体カートリッジの下側からみた図である。
【図５】実施の形態の記録媒体カートリッジに対して施される内部配線の例を示した図である。
【図６】第１例としてのロック／ロック解除部の構成について説明するための図である。
【図７】ロック／ロック解除部の駆動手法とそれに伴う各部の動作とについて説明するための図である。
【図８】実施の形態としての駆動装置内に設けられる、記録媒体カートリッジを保持するためのトレーの構造を示した斜視図である。
【図９】実施の形態としての駆動装置の内部構成を示した図である。
【図１０】第２例としての記録媒体カートリッジが備えるロック／ロック解除部とその近傍の構成を抽出して示した図である。
【図１１】第３例としての記録媒体カートリッジが備えるロック／ロック解除部とその近傍の構成を抽出して示した図である。
【図１２】第３例のシャッタロック／ロック解除部のシャッタロック時／ロック解除時の動作遷移について説明するための図である。
【図１３】第４例としての記録媒体カートリッジが備えるロック／ロック解除部とその近傍の構成を抽出して示した図である。
【図１４】第４例のシャッタロック／ロック解除部のシャッタロック時／ロック解除時の動作遷移について説明するための図である。
【図１５】第５例としての記録媒体カートリッジが備えるロック／ロック解除部とその近傍の構成を抽出して示した図である。
【図１６】第５例のシャッタロック／ロック解除部のシャッタロック時／ロック解除時の動作遷移について説明するための図である。
【図１７】ダミー電極を備える変形例としての記録媒体カートリッジについて説明するための図である。
【図１８】非接触電力供給を前提とした変形例としての記録媒体カートリッジの構成について説明するための図である。
【図１９】非接触電力供給を前提とした変形例としての駆動装置の内部構成を示した図である。
【発明を実施するための形態】
【００１４】
以下、発明を実施するための最良の形態（以下実施の形態とする）について説明していく。
なお、説明は以下の順序で行うものとする。
＜１．実施の形態の第１例〜ソレノイドアクチュエータを用いる例〜＞
[1-1．カートリッジの全体構造]
[1-2．シャッタロック／ロック解除について]
[1-3．シャッタロック／ロック解除部の具体的な構成]
[1-4．駆動装置側の構成]
＜２．実施の形態の第２例〜リニアモータを用いる例＞
＜３．実施の形態の第３例〜回転モータを用いる例＞
＜４．実施の形態の第４例〜バイメタルを用いる例＞
＜５．実施の形態の第５例〜形状記憶合金を用いる例＞
＜６．実施の形態のまとめ＞
＜７．変形例＞
【００１５】
＜１．実施の形態の第１例〜ソレノイドアクチュエータを用いる例〜＞
[1-1．カートリッジの全体構造]
図１は、本発明の記録媒体カートリッジの一実施形態（第１例とする）としてのディスクカートリッジ１の分解斜視図である。
先ず、ディスクカートリッジ１には、その内部に光ディスク１Ｃが格納されることになる。
ここで「光ディスク」とは、光の照射により情報の記録及び／又は再生が行われるディスク状の記録媒体を総称したものである。具体的に、本実施の形態の場合における光ディスク１Ｃは、ホログラムの形成により情報の記録が行われるホログラム記録層を有するホログラム記録媒体とされる。上記ホログラム記録層には、例えばフォトポリマなど、記録情報を担う信号光が参照光と干渉してその干渉縞により情報の記録が行われるホログラム記録材料が用いられる。
【００１６】
図１に示すディスクカートリッジ１において、上記光ディスク１Ｃは、図中に示す上側シェル１Ａと下側シェル１Ｂとが組み付けられたとき、これら上側シェル１Ａと下側シェル１Ｂとで覆われる空間内に配置されることになる。
この場合、上記下側シェル１Ｂは、図示するように右側シェル１ＢRと左側シェル１ＢLとに分割されており、これら右側シェル１ＢRと左側シェル１ＢLとの間に形成される間隙が、上記光ディスク１Ｃに対する情報の記録／再生を可能とするためのシェル開口部ＯＨ１となる。
【００１７】
また本例のディスクカートリッジ１において、上記上側シェル１Ａと下側シェル１Ｂとで覆われる空間内には、ロータ１Ｄ-1とシャッタ１Ｄ-2とによるロータリーシャッタ部１Ｄが形成される。この場合、当該ロータリーシャッタ部１Ｄは、上記光ディスク１Ｃよりも下側となる位置（下側シェル１Ｂ側となる位置）に配置され、ディスクカートリッジ１における各部の配置順は、図示するように上側から順に上側シェル１Ａ→光ディスク１Ｃ→ロータ１Ｄ-1→シャッタ１Ｄ-2→下側シェル１Ｂとなっている。
【００１８】
ここで、本実施の形態において、上記ロータリーシャッタ部１Ｄとしてのシャッタ機構の構造は、いわゆるＰＦＤ（プロフェッショナルディスク）のシャッタ機構と同様の構造としている。すなわち、ＰＦＤの場合と同様に、上記ロータ１Ｄ-2が一方向に回転することで、シャッタ１Ｄ-2の２枚１組のそれぞれの羽部が離間していきシャッタ１Ｄ-2が開状態（開放状態）となり、また上記ロータ１Ｄ-2が他方向に回転することで上記羽部が接近していきシャッタ１Ｄ-2が閉状態（閉切り状態）となるものである。
このとき、上記ロータ１Ｄ-1にはその中央部にロータ開口部ＯＨ２が形成されており、これによって上記シャッタ１Ｄ-2が開放状態となることで、光ディスク１Ｃの記録／再生面が上記ロータ開口部ＯＨ２、及び上述したシェル開口部ＯＨ１を介して外部に対して曝された状態（外部に対する露出状態：開状態）となるようにされ、逆に上記シャッタ１Ｄ-2が閉切り状態となることで上記光ディスク１Ｃが外部からは閉ざされた状態（非露出の状態：閉状態）となるようにされる。
【００１９】
[1-2．シャッタロック／ロック解除について]
図２は、図１に示したロータ１Ｄ-1の下側面を示している。
図示するようにしてロータ１Ｄ-1には、閉切り時ロック用凹部２、及び開放時ロック用凹部３が形成されている。ここで、このことからも理解されるように、本実施の形態においてシャッタ１Ｄ-2のロックは、閉切り時と開放時との双方で行うようにされている。
【００２０】
この場合のロータリーシャッタ部１Ｄでは、ロータ１Ｄ-1を一方向（図中の閉切り時回転方向）に回転させることで、開放状態にあるシャッタ１Ｄ-2を閉切り状態とすることができる。またロータ１Ｄ-1を他方向（図中の開放時回転方向）に回転させることで、閉切り状態にあるシャッタ１Ｄ-2を開放状態とすることができる。
このようにシャッタ１Ｄ-2の開／閉には、ロータ１Ｄ-2の回転が伴う。従って上記のようにロータ１Ｄ-1に形成された閉切り時ロック用凹部２、開放時ロック用凹部３を利用してロータ１Ｄ-1をそれぞれ係止することで、シャッタ１Ｄ-2を閉切り状態／開放状態の各状態でロックすることができる。
【００２１】
図３,図４はディスクカートリッジ１の下側面を示しており、図３はシャッタ１Ｄ-2が閉切り状態のとき、図４はシャッタ１Ｄ-2が開放状態のときをそれぞれ示している。これら図３,図４では左側シェル１ＢLの下側面の一部をカットし、ディスクカートリッジ１内部に設けられたシャッタロック／ロック解除部の様子が示されるようにしている。
【００２２】
先ず、図３に示すようにシャッタ１Ｄ-2が閉切り状態のときは、ディスクカートリッジ１内部に設けられたシャッタロック部材４の先端部が、ロータ１Ｄ-1に形成された閉切り時ロック用凹部２と勘合し、上記ロータ１Ｄ-1の動き、すなわちシャッタ１Ｄ-2の動きをロックする。つまりこれにより閉切り時のシャッタロック状態が得られる。
【００２３】
また、図４に示す開放状態のときも同様に、ディスクカートリッジ１内部に設けられたシャッタロック部材４の先端部がロータ１Ｄ-1に形成された開放時ロック用凹部３と勘合して、上記ロータ１Ｄ-1の動き、すなわちシャッタ１Ｄ-2の動きをロックして、開放時のシャッタロック状態が得られる。
【００２４】
ここで、本実施の形態は、このようなシャッタロック部材４によるシャッタ１Ｄ-2のロック／ロック解除が、外部からの電力の供給に応じて行われるようにするものである。
このようにシャッタ１Ｄ-2のロック／ロック解除を電力駆動により行うために、本実施の形態のディスクカートリッジ１には、外部からの電力供給を受けるための電極端子が設けられる。
本実施の形態のディスクカートリッジ１では、図３,図４に示されるように上記シャッタロック部材４を含むロック／ロック解除部を下側シェル１Ｂにおける左側シェル１ＢLに設けるものとしていることから、上記電極端子としても左側シェル１ＢLに設けるものとしている。具体的に、上記電極端子としては、図のように電力入力端子ｔ１とグラウンド端子ｔGNDとを設けるものとしている。
【００２５】
これら左側シェル１ＢLの下側面（つまりディスクカートリッジ１全体で見れば筐体外面）に設けられる電力入力端子ｔ１とグラウンド端子ｔGNDとについては、シャッタ１Ｄ-2の誤開放の防止の観点より、一見して電極と悟られないようにするために導電ゴムや導電ガラスなどの電極として認識され難い導電材料を用いる。
【００２６】
図５は、下側シェル１Ｂにおける内部配線の例を示している。なおこの図５では下側シェル１Ｂの上面側（筐体内面側）を示している。
図示するように下側シェル１Ｂにおける左側シェル１ＢLにおいては、その内部に、上記電力入力端子ｔ１と接続された電力入力線Ｌ１と、上記グラウンド端子ｔGNDと接続されたグラウンド線ＬGNDとが配線されている。上記電力入力線Ｌ１は、左側シェル１ＢLの上面側に設けられた電力入力端子ｔ-1と接続され、また上記グラウンド線ＬGNDは左側シェル１ＢLの上面側に設けられたグラウンド端子ｔ-GNDと接続される。
これら左側シェル１ＢLの上面側に設けられた電力入力端子ｔ-1とグラウンド端子ｔ-GNDは、後述する各例において上述したシャッタロック部材４を動かす駆動素子が設けられる位置と対応する位置に対して形成される。
【００２７】
なお、上記電力入力線Ｌ１と上記グラウンド線ＬGNDの配線は、左側シェル１ＢLの上面側の表面にプリント配線することもできる。
【００２８】
[1-3．シャッタロック／ロック解除部の具体的な構成]
図６は、実施の形態の第１例としてのシャッタロック／ロック解除部（ロック／ロック解除部とも表記する）の構成について説明するための図として、図６（ａ）は、ディスクカートリッジ１内における第１例としてのシャッタロック／ロック解除部とその近傍の構成をディスクカートリッジ１の下面側から透視した透視図であり、図６（ｂ）は実施の形態のロック／ロック解除部に設けられるシャッタロック部材４の構造図である。
【００２９】
図６（ａ）に示されるように、第１例としてのロック／ロック解除部は、シャッタロック部材４、ソレノイドアクチュエータ５、コイルバネ６を有して構成される。
上記シャッタロック部材４は、図６（ｂ）に示すように、ピン挿通口４ｃを有する円柱部が形成されていると共に、この円柱部を起点としてそれぞれ異方向に第１の柄部と第２の柄部が形成され、上記第１の柄部の先端部分にロック用凸部４ａが形成され、上記第２の柄部の先端部分が駆動力受部４ｂとされている。
上記駆動力受部４ｂは、その一方の側面が上記ソレノイドアクチュエータ５からの駆動力を受ける面とされる。そして、この駆動力受部４ｂの上記一方の側面とは逆側の側面に対しては、上記コイルバネ６を取り付けるためのバネ取付部４ｂが形成されている。
【００３０】
図６（ａ）において、上記シャッタロック部材４は、そのピン挿通口４ｃにおいて左側シェル１ＢLに形成されたピン７が挿通され、左側シェル１ＢLに対して取り付け・位置決めされている。このようにピン挿通口４ｃにピン７を挿通して取り付けられたシャッタロック部材４は、上記ピン挿通口４ｃの中心を回転軸とした回転運動が可能となる。
【００３１】
また、図６（ａ）において、シャッタロック部材４のバネ取付部４ｄには、左側シェル１ＢLに対してその一端が固着されたコイルバネ６が取り付けられている。このように取り付けられたコイルバネ６により、駆動力受部４ｂは、上記ソレノイドアクチュエータ５より与えられる駆動力の印加方向とは逆方向に付勢される。
なお、このように駆動力受部４ｂを付勢する部材としてはバネに限定されるべきものではなく、少なくとも弾性体とされればよい。
【００３２】
そして、この場合のロック／ロック解除部においては、上記ソレノイドアクチュエータ５の可動鉄心５ａの先端部が、上記シャッタロック部材４の駆動力受部４ｂの上記一方の側面と当接している。
上記ソレノイドアクチュエータ５は、電力供給（通電）に応じて可動鉄心５ａを押し出すように構成される。つまりこれにより、ソレノイドアクチュエータ５は、電力供給に応じて上記駆動力受部４ｂに対する押圧力の印加を行うようにされている。
【００３３】
図示は省略したが、上記ソレノイドアクチュエータ５は、先の図５に示した電力入力端子ｔ-1とグラウンド端子ｔ-GNDと接続（結線）されており、これによってディスクカートリッジ１の筐体外面に設けられた電力入力端子ｔ１・グラウンド端子ｔGNDを介した外部から上記ソレノイドアクチュエータ５への電力供給（つまりソレノイドアクチュエータ５の駆動）が可能とされている。
【００３４】
ここで、図６（ａ）では一例として、シャッタロック用部材４のロック用凸部４ａが、ロータ１Ｄ-1に形成された開放時ロック用凹部３に対して勘合している状態を示しているが、本実施の形態では、ソレノイドアクチュエータ５に対する電力供給がオフの状態（つまり可動鉄心５ａがコイルバネ６の付勢により引き込み状態にあるとき）で、このようにロック用凹部４ａがロック用凹部（２又は３）に勘合する状態が得られるようにする。
【００３５】
ここで確認のために述べておくと、上記シャッタロック部材４の形状・寸法、及び該シャッタロック部材４を有するロック／ロック解除部のシェル（この場合は左側シェル１ＢL）に対する取付位置は、ロータ１Ｄ-1に対する閉切り時ロック用凹部２及び開放時ロック用凹部３の形成位置に応じて、シャッタ１Ｄ-2が閉切り状態のときの上記閉切り時ロック用凹部２に対して上記シャッタロック部材４のロック用凸部４ａが勘合（係止）でき、且つシャッタ１Ｄ-2が開放状態のときの上記開放時ロック用凹部３に対して上記ロック用凸部４ａが勘合（係止）できるようにして定められるものである。
そして、上述したピン７としては、このように設定されたロック／ロック解除部の取付位置に応じて、上記シャッタロック部材４のピン挿通口４ｃに対する挿通が可能となるようにしてそのシェルに対する形成位置が定められる。同様に、コイルバネ６は、上記シャッタロック部材４のバネ取付部４ｄに対する取付が可能となるようにそのシェルに対する取付位置が定められる。
【００３６】
続いて、図７を参照して、上記により説明した第１例としてのロック／ロック解除部の駆動手法とそれに伴う各部の動作とについて説明する。
図７（ａ）（ｂ）（ｃ）の各図は、ディスクカートリッジ１におけるロック／ロック解除部の形成部分の近傍を下側から見た様子を示している。これら図７（ａ）（ｂ）（ｃ）では、左側シェル１ＢLの外面の一部をカットして、左側シェル１ＢLの内面側に設けられたロック／ロック解除部の様子が明らかとなるようにしている。
【００３７】
図７（ａ）は、シャッタ閉切り時におけるシャッタロック状態の様子を示している。
先にも述べたように、本実施の形態では、駆動素子としてのソレノイドアクチュエータ５に対する電力供給がオフの状態で、シャッタ１Ｄ-2のロック状態が得られるようにしている。つまりこの図７（ａ）に示す状態において、ソレノイドアクチュエータ５に対する電力供給はオフの状態である。
【００３８】
図７（ａ）に示すシャッタ１Ｄ-2の閉切り状態から、シャッタ１Ｄ-2を開放状態とする場合には、ソレノイドアクチュエータ５に対する電力供給を行う。このようにソレノイドアクチュエータ５に対する電力供給が行われることで、図７（ｂ）に示すようにして可動鉄心５ａが押し出され、当該可動鉄心５ａがその先端部にてシャッタロック部材４の駆動力受部４ｂの側面を押圧する。これにより、シャッタロック部材４は、ピン挿通口４ｃの中心を回転軸として図中の時計回り方向に回転し、ロータ１Ｄ-1における閉切り時ロック用凹部２に対する勘合状態が解除される。つまりこれによってシャッタ１Ｄ-2の閉切り時におけるロック状態が解除される。
【００３９】
このようにシャッタ１Ｄ-2の閉切り時のロック状態を解除した後は、ロータ１Ｄ-1を先の図２に示した開放時回転方向に回転させることで、シャッタ１Ｄ-2を開放状態とする。
【００４０】
そして本実施の形態では、このようなロータ１Ｄ-1の回転を開始させたタイミングに応じて、ソレノイドアクチュエータ５に対する電力供給をオフとするものとしている。
これにより、例えばシャッタ１Ｄ-2が開放状態となるまで電力供給をし続ける、すなわちシャッタ１Ｄ-2が開放状態となるまでシャッタロック部材４をロック解除の状態とし続ける場合よりも、消費電力の削減を図ることができる。
なお、このようにロータ１Ｄ-1の回転開始に応じてソレノイドアクチュエータ５への給電をオフとすると、ロック用凸部４ａは回転中のロータ１Ｄ-1に対して接することになるので、ロータ１Ｄ-1における閉切り時ロック用凹部２と開放時ロック用凹部３との間には、ロック用凸部４ａによる係止が行われてしまうような凹凸が形成されていないことが望ましい。
【００４１】
シャッタ１Ｄ-2を開放状態とするまでロータ１Ｄ-1を回転させると、ロータ１Ｄ-1に形成された開放時ロック用凹部３が、シャッタロック部材４のロック用凸部４ａと対向する位置に到達する。
シャッタ１Ｄ-2を開放状態とした後には、シャッタ１Ｄ-2をロックすることになるが、上述のように本実施の形態の場合、ソレノイドアクチュエータ５に対する電力供給はシャッタ１Ｄ-2を開放状態とする際のロータ１Ｄ-1の回転開始に応じてオフとされている。つまりこのことから、上記のように開放時ロック用凹部３がロック用凸部４ａと対向する位置に到達した時点では、可動鉄心５ａの先端部によるシャッタロック部材４の駆動力受部４ｂに対する押圧力が解除された状態にあり、これに伴い、上記のように開放時ロック用凹部３がロック用凸部４ａと対向する位置に到達することに応じて、シャッタロック部材４におけるロック用凸部４ａが開放時ロック用凹部３と勘合することになる。この結果、シャッタ１Ｄ-2の開放時におけるロック状態が得られる。
なお確認のために述べておくと、上記のようにソレノイドアクチュエータ５に対する給電がオフとされて駆動力受部４ｂに対する押圧力が解除されるのは、コイルバネ６の付勢力による。
【００４２】
ここで、上記のようにシャッタ１Ｄ-2についての開放時のロックを行った後、再度シャッタ１Ｄ-2を閉切り状態とする際にも、ロック状態の解除・再ロックを行うことになるが、この場合もソレノイドアクチュエータ５の駆動手法については上記により説明した閉切り時→開放時にかけての駆動手法と同様であり、従ってその説明は省略する。
また確認のために述べておくと、ロック状態が解除された開放状態のシャッタ１Ｄ-2を閉状態とするには、ロータ１Ｄ-1を図２に示した閉切り時回転方向に回転させればよい。
【００４３】
[1-4．駆動装置側の構成]
続いて、上記により説明した本実施の形態のディスクカートリッジ１に対応してシャッタ１Ｂのロック／ロック解除を行う、実施の形態としての駆動装置の構成について説明する。
図８の斜視図は、実施の形態の駆動装置内に設けられる、ディスクカートリッジ１を保持するためのトレー１０の構造を示している。なおこの図では上記トレー１０上に保持されたディスクカートリッジ１を破線により示している。
【００４４】
図示するようにトレー１０に対しては、ディスクカートリッジ１に設けられた電力入力端子ｔ１と接続される電力供給端子Ｔ１と、同じくディスクカートリッジ１に設けられたグラウンド端子ｔGNDと接続されるグラウンド端子ＴGNDとが設けられている。
図示するように上記電力供給端子Ｔ１は、トレー１０にディスクカートリッジ１が保持された状態において、ディスクカートリッジ１側に設けられた電力入力端子ｔ１と接続可能な位置に対して設けられる。同様に上記グラウンド端子ＴGNDは、トレー１０にディスクカートリッジ１が保持された状態においてディスクカートリッジ１側に設けられたグラウンド端子ｔGNDと接続可能な位置に対して設けられる。
【００４５】
図９は、上記電力供給端子Ｔ１・グラウンド端子ＴGNDを含めた本実施の形態の駆動装置の内部構成を示している。なおこの図９では主にディスクカートリッジ１側のロック／ロック解除部における駆動素子（この場合はソレノイドアクチュエータ５）を駆動するための構成、及びシャッタを開閉するための構成を抽出して示している。なおこの図では図８に示したトレー１０は図示の都合により省略している。
またこの図ではディスクカートリッジ１側に設けられた電力入力端子ｔ１とグラウンド端子ｔGNDを示している。
【００４６】
本実施の形態の駆動装置内部には、先に説明したトレー１０、電力供給端子Ｔ１、グラウンド端子ＴGNDと共に、ロック／解除用ドライバ１２、シャッタ開閉駆動部１３、シャッタ開閉機構１４、及び制御部１１が備えられている。
先ず、駆動装置内において、グラウンド端子ＴGNDは、図示するようにしてアース接地されている。
また、電力供給端子Ｔ１はロック／解除用ドライバ１２と接続されている。
【００４７】
ロック／解除用ドライバ１２は、制御部１１からの制御に基づき、上記電力供給端子Ｔ１・グラウンド端子ＴGNDを介したディスクカートリッジ１側の駆動素子（この場合はソレノイドアクチュエータ５）に対する電力供給を行って、シャッタロック部材４によるロータ１Ｄ-1のロック／ロック解除、すなわちシャッタ１Ｄ-2のロック／ロック解除を実行させる。
ちなみに、第１例の場合のようにソレノイドアクチュエータ５を用いる場合、駆動素子への供給電力は例えば１Ｖ程度とする。
【００４８】
また、シャッタ開閉駆動部１３は、制御部１１からの制御に基づき、シャッタ開閉機構１４によるシャッタ１Ｄ-2の開閉駆動を実行させる。
ここで、この場合のシャッタ開閉駆動部１３は例えば回転モータを備え、上記シャッタ開閉機構１４はシャッタ開閉駆動部１３の回転モータによる回転駆動力を利用して、トレー１０上に保持されたディスクカートリッジ１のロータ１Ｄ-1を回転させるように構成されている。
上記シャッタ開閉機構１４は、制御部１１による制御に基づいて上記回転モータがシャッタ１Ｄ-2閉切り時に対応した一方の回転方向に回転されることに応じて、ロータ１Ｄ-2を図２に示した閉切り時回転方向に回転させ、且つ、制御部１１による制御に基づいて上記回転モータがシャッタ１Ｄ-2開放時に対応した他方の回転方向に回転されることに応じて、ロータ１Ｄ-2を図２に示した開放時回転方向に回転させるように構成されている。
これにより上記シャッタ開閉駆動部１３は、上記制御部１１からの制御に基づき、上記シャッタ開閉機構１４によりシャッタ１Ｄ-2の開／閉を実行させることが可能とされている。
【００４９】
制御部１１は、上記ロック／解除用ドライバ１２、及び上記シャッタ開閉駆動部１３に対する制御を行うことで、先の図７を参照して説明したシャッタ１Ｄ-2のロック／ロック解除、及びシャッタ１Ｄ-2の開閉を実現する。
具体的に、制御部１１は、トレー１０上に保持されたディスクカートリッジ１について、シャッタ１Ｄ-2の開放を行うべき状態となったことに応じて、先ずはロック／解除用ドライバ１２を制御してソレノイドアクチュエータ５に対する電力供給を実行させ、可動鉄心５ａの押し出し動作を実行させる。これにより、閉切り状態にあるシャッタ１Ｄ-2のロック状態を解除させる。
そして、シャッタ開閉駆動部１３を制御して、上述した回転モータを上述の一方の回転方向に回転させることで、シャッタ開閉機構１４によりロータ１Ｄ-2を図２に示した開放時回転方向に回転させ、シャッタ１Ｄ-2を開放状態とさせる。
ここで、先の説明からも理解されるように、ソレノイドアクチュエータ５への電力供給は、このようにシャッタ開閉駆動部１３を制御してロータ１Ｄ-1の回転を開始させたタイミングに応じて（回転開始直後に）オフとさせるようにする。このことで、上記のようにシャッタ１Ｄ-2を開放状態とし、ロータ１Ｄ-1側の開放時ロック用凹部３がシャッタロック部材４のロック用凹部４ａと対向する位置に到達したときに、上記ロック用凸部４ａを上記開放時ロック用凹部３に対して勘合させることができる。
このようにして、シャッタ開放時のロック状態が得られる。
【００５０】
また、カートリッジ１のイジェクトに伴いシャッタ１Ｄ-2を閉切り状態とすべき状態となった場合、制御部１１は、先ずはロック／解除用ドライバ１２を制御してソレノイドアクチュエータ５に対する電力供給を実行させ、可動鉄心５ａの押し出し動作を実行させる。これにより、開放状態にあるシャッタ１Ｄ-2のロック状態を解除させる。
そして、シャッタ開閉駆動部１３を制御して、上述した回転モータを上述の他方の回転方向に回転させることで、シャッタ開閉機構１４によりロータ１Ｄ-2を図２に示した閉切り時回転方向に回転させ、シャッタ１Ｄ-2を閉切り状態とさせる。
この場合もソレノイドアクチュエータ５への電力供給は、上記のようにシャッタ開閉駆動部１３を制御してロータ１Ｄ-1の回転を開始させたタイミングに応じてオフとさせるようにする。このことで、上記のようにシャッタ１Ｄ-2を閉切り状態とし、ロータ１Ｄ-1側の閉切り時ロック用凹部２がロック用凹部４ａと対向する位置に到達したときに、上記ロック用凸部４ａを上記閉切り時ロック用凹部２に対して勘合させることができる。
このようにして、シャッタ閉切り時のロック状態が得られる。
【００５１】
＜２．実施の形態の第２例〜リニアモータを用いる例＞
続いて、実施の形態の第２例としてのディスクカートリッジ１、及び駆動装置について説明する。実施の形態の第２例は、ロック／ロック解除部の駆動素子としてリニアモータを用いる例である。
なお、この第２例を始めとして以下で説明する各実施例（第２例〜第５例）において、ディスクカートリッジ１の外観を含めたロック／ロック解除部以外の構成は第１例にて説明したものと同様となるので改めての説明は省略する。また第１例にて説明した部分と同様となる部分については同一符号を付して説明を省略する。
【００５２】
図１０は、第２例としてのディスクカートリッジ１が備えるロック／ロック解除部とその近傍の構成を主に抽出して示した図である。
先ず、この場合のロック／ロック解除部において、コイルバネ６及びシャッタロック部材４の取付位置は、先の第１例の場合と同様の位置とされている。
先の図６（ａ）と比較して分かるように、この場合はロック／ロック解除部が備える駆動素子が、ソレノイドアクチュエータ５からリニアモータ１５及び作動軸１６の組に変更された点が異なる。
図示は省略しているが、リニアモータ１５は、左側シェル１ＢLの上面側に設けられた電力入力端子ｔ-１、グラウンド端子ｔ-GND（図５を参照）と接続されており、電力入力端子ｔ１、グラウンド端子ｔGNDを介した外部からの電力供給が可能とされている。
リニアモータ１５は、電力供給に応じて、上記作動軸１６を図中の左方向に押し出すように構成されている。
【００５３】
ここで用いるリニアモータ１５としては、例えばＳＩＤＭ（Smooth Impact Drive Mechanism）やピエゾウェイヴモータなど、通電していない状態での保持力がコイルバネ６が有する付勢力よりも充分に小となるものを用いる。
例えばＳＩＤＭを用いる場合、通電していない状態での保持力は０．１Ｎ程度であるので、コイルバネ６の付勢力は少なくとも０．１Ｎ程度よりも大となるように設定する。
【００５４】
このような構成とされる第２例としてのロック／ロック解除部の駆動素子（リニアモータ１５）に対する駆動手法は、先の第１例の場合と同様となる。すなわち、第２例においても駆動装置の構成は先の図８、図９にて説明したものと同様となる。
なお、リニアモータ１５を用いた場合、駆動装置が備えるロック／解除用ドライバ１２は供給電力として例えば５Ｖ程度を発生するように構成する。
また、このような駆動素子の駆動に伴いロック／ロック解除部で得られるシャッタロック／ロック解除時の動作についても、可動鉄心５ａが作動軸１６に置き換わったのみで、その内容については先の第１例の場合と同様となり、従って図示による説明は省略する。
【００５５】
また、第２例において、シャッタ１Ｄ-2の開閉のための駆動手法についても第１例で説明したものと同様となる。
【００５６】
＜３．実施の形態の第３例〜回転モータを用いる例＞
実施の形態の第３例は、ロック／ロック解除部の駆動素子として回転モータを設け、当該回転モータによる回転バーの回転を利用してシャッタロック部材４によるシャッタロック／ロック解除を行うようにするものである。
【００５７】
図１１は、第３例としてのディスクカートリッジ１が備えるロック／ロック解除部とその近傍の構成を主に抽出して示した図である。
図１１において、この場合もロック／ロック解除部におけるコイルバネ６及びシャッタロック部材４の取付位置は、先の第１例の場合と同様となる。
この場合のロック／ロック解除部では、駆動素子がソレノイドアクチュエータ５から回転バー１８を回転させる回転モータ１７に変更された点と、上記回転バー１８の回転位置（角度）を、図のようにシャッタロック部材４の回転状態をシャッタロック時の回転状態とすることのできる位置（角度）で制止させるための制止用ピン１９が追加された点が異なる。
【００５８】
上記回転モータ１７は、左側シェル１ＢLの上面側に設けられた電力入力端子ｔ-１、グラウンド端子ｔ-GNDと接続されており、電力入力端子ｔ１、グラウンド端子ｔGNDを介した外部からの電力供給が可能とされている。
また回転モータ１７は、その回転軸に対して取り付けられた上記回転バー１８の先端部がシャッタロック部材４の駆動力受部４ｂの側面（コイルバネ６の取付面とは逆側の面）に当接するように、その取付位置が設定されている。
【００５９】
回転モータ１７は、電力供給に応じて、次の図１２（ａ）に示されるようにして回転バー１８を図中の反時計回り方向に回転させる。つまり回転モータ１７は、電力供給に応じて、駆動力受部４ｂに対し上記回転バー１８によりコイルバネ６の付勢方向とは対向する方向に作用する押圧力を印加するようにされている。
これにより、この場合のロック／ロック解除部としても、駆動素子（この場合は回転モータ１７）に対する電力供給により、シャッタロック部材４をピン挿通口４ｃの中心を回転軸として図中時計回り方向に回転させることができ、結果、シャッタロック部材４の回転状態をシャッタロック解除時の回転状態とすることができる。
このようにして第３例においても、駆動素子に対する電力供給に応じて、シャッタロック部材４によるシャッタロックが行われるようになっている。
【００６０】
また、この場合のロック／ロック解除部において、回転モータ１７への電力供給がオフとされた場合は、コイルバネ６の付勢力によって回転バー１８が図中の時計回り方向に戻される。このとき、回転バー１８は、上述した制止用ピン１９により上記時計回り方向への回転が制止される。
このように回転バー１８が時計回り方向に戻され上記制止用ピン１９に制止されることで、シャッタロック部材４は、図１２（ａ）→図１２（ｂ）の遷移として示すように、シャッタロック部材４はピン挿通口４ｃの中心を回転軸として反時計回り方向に所定量だけ回転され、結果、シャッタロック部材４の回転状態が、シャッタロック時の回転状態となる。
このようにして第３例においても、駆動素子への電力供給の停止に応じて、シャッタロック部材４によるシャッタロック状態の解除が行われる。
【００６１】
このような構成とされる第３例としてのロック／ロック解除部の駆動素子（回転モータ１７）に対する駆動手法は、先の第１例の場合と同様となる。すなわち、第３例においても駆動装置の構成は先の図８、図９にて説明したものと同様となる。
なお、回転モータ１７を用いた場合、駆動装置が備えるロック／解除用ドライバ１２は供給電力として例えば５Ｖ程度を発生するように構成する。
また、第３例においてもシャッタ１Ｄ-2の開閉のための駆動手法は第１例で説明したものと同様となる。
【００６２】
＜４．実施の形態の第４例〜バイメタルを用いる例＞
実施の形態の第４例は、ロック／ロック解除部の駆動素子をバイメタルとし、当該バイメタルの通電に応じた変形を利用してシャッタロック部材４によるシャッタロック／ロック解除を行うようにするものである。
【００６３】
図１３は、第４例としてのディスクカートリッジ１が備えるロック／ロック解除部とその近傍の構成を主に抽出して示した図である。
図１３において、この場合もロック／ロック解除部におけるコイルバネ６及びシャッタロック部材４の取付位置は、先の第１例の場合と同様となる。
この場合のロック／ロック解除部では、駆動素子がソレノイドアクチュエータ５からバイメタル２０に変更された点と、左側シェル１ＢLに上記バイメタル２０を取り付けるための取付部２１が追加された点とが異なる。
【００６４】
上記バイメタル２０は、左側シェル１ＢLの上面側に設けられた電力入力端子ｔ-１、グラウンド端子ｔ-GNDと接続されており、電力入力端子ｔ１、グラウンド端子ｔGNDを介した外部からの電力供給（通電）が可能とされている。
バイメタル２０は、電流が流されることに応じてその温度が上昇し、その先端部分が湾曲するようにして変形する。ここで用いるバイメタル２０は、電流が流されることに応じて８０℃程度に温度が上昇し、その先端部分が図中の左側方向に湾曲するものとなっている。
このとき、上記バイメタル２０は、上記取付部２１に対する取付により位置決めされて、非通電時（変形前）の状態でその先端部分の側面がシャッタロック部材４の駆動力受部４ｂの側面（コイルバネ６の取付面とは逆側の面）に対して当接するようにされている。
【００６５】
この結果、上記バイメタル２０は、電力供給に応じて図１４（ａ）に示されるようにしてその先端部分が図中左側方向に湾曲することで、駆動力受部４ｂに対しコイルバネ６の付勢方向とは対向する方向に作用する押圧力を印加することになる。
これにより、この場合のロック／ロック解除部としても、駆動素子（バイメタル２０）に対する電力供給により、シャッタロック部材４をピン挿通口４ｃの中心を回転軸として図中時計回り方向に回転させることができ、結果、シャッタロック部材４の回転状態をシャッタロック解除時の回転状態とすることができる。
このようにして第４例においても、駆動素子に対する電力供給に応じてシャッタロック部材４によるシャッタロックが行われるようにされている。
【００６６】
また、この場合のロック／ロック解除部において、バイメタル２０への電力供給がオフとされた場合は、バイメタル２０の温度が低下し、バイメタル２０が変形前の形状に戻されることで、シャッタロック部材４は、図１４（ａ）→図１４（ｂ）の遷移として示すように、ピン挿通口４ｃの中心を回転軸として反時計回り方向に回転され、結果、シャッタロック部材４の回転状態がシャッタロック時の回転状態となる。このようにして、この場合も電力供給の停止に応じて、シャッタロック部材４によるシャッタロック状態の解除が行われるようになっている。
【００６７】
このような構成とされる第４例としてのロック／ロック解除部の駆動素子（バイメタル２０）に対する駆動手法は、先の第１例の場合と同様となる。すなわち、第４例においても駆動装置の構成は先の図８、図９にて説明したものと同様となる。
但し、この場合の駆動装置が備えるロック／解除用ドライバ１２としてはバイメタル２０を電流駆動するように構成する。
なお、第４例においてもシャッタ１Ｄ-2の開閉のための駆動手法は第１例で説明したものと同様となる。
【００６８】
＜５．実施の形態の第５例〜形状記憶合金を用いる例＞
実施の形態の第５例は、ロック／ロック解除部の駆動素子を形状記憶合金とし、当該形状記憶合金の通電に応じた変形を利用してシャッタロック部材４によるシャッタロック／ロック解除を行うようにするものである。
【００６９】
図１５は、第５例としてのディスクカートリッジ１が備えるロック／ロック解除部とその近傍の構成を主に抽出して示した図である。
図１５において、この場合もロック／ロック解除部におけるコイルバネ６及びシャッタロック部材４の取付位置は、先の第１例の場合と同様となる。
この場合のロック／ロック解除部では、駆動素子がソレノイドアクチュエータ５から形状記憶合金２２に変更された点と、左側シェル１ＢLに上記形状記憶合金２３を取り付けるための取付部２３が追加された点とが異なる。
【００７０】
この場合、上記形状記憶合金２２としては、コイルバネ形状に成形したのもが用いられる。第５例のロック／ロック解除部では、このようなバネ形状による形状記憶合金２２の一端を上記取付部２３と固着し、他端をシャッタロック部材４の駆動力受部４ｂの側面（コイルバネ６の取付面とは逆側の面）に対して固着している。
またこれと共に、上記形状記憶合金２２の一端側を、左側シェル１ＢLの上面側に設けられた電力入力端子ｔ-１と接続し、上記形状記憶合金２２の他端側をグラウンド端子ｔ-GNDと接続している。これにより電力入力端子ｔ１、グラウンド端子ｔGNDを介した外部からの電力供給に応じ上記形状記憶合金２２に対する通電が可能とされている。
【００７１】
上記形状記憶合金２２は、通電により記憶形状が復元されるように構成されている。具体的に、この場合の形状記憶合金２２は、通電によりその温度が８０℃程度に上昇し、これに応じて記憶形状が復元するものとなっている。
【００７２】
本例では、バネ形状による上記形状記憶合金２２の復元形状（伸び量）として、常温時よりも伸張した形状を記憶させている。
このことで、上記形状記憶合金２２は、電力供給に応じてその記憶形状を復元することに応じて、上記駆動力受部４ｂに対し上記コイルバネ６の付勢方向とは対向する方向に作用する押圧力を印加することになる。
【００７３】
これにより、この場合のロック／ロック解除部としても、駆動素子（形状記憶合金２２）に対する電力供給により、次の図１６（ａ）に示されるように、シャッタロック部材４をピン挿通口４ｃの中心を回転軸として図中時計回り方向に回転させることができ、結果、シャッタロック部材４の回転状態をシャッタロック解除時の回転状態とすることができる。
このようにして第５例においても、駆動素子に対する電力供給に応じてシャッタロック部材４によるシャッタロックが行われるようになっている。
【００７４】
また、この場合のロック／ロック解除部において、形状記憶合金２２への電力供給がオフとされた場合は、形状記憶合金２２の温度低下に伴い、当該形状記憶合金２２はコイルバネ６の付勢力によって図中の右方向に押し戻される（つまり収縮する）ことになる。この結果、シャッタロック部材４は、図１６（ａ）→図１６（ｂ）の遷移として示すように、ピン挿通口４ｃの中心を回転軸として反時計回り方向に回転され、結果、シャッタロック部材４の回転状態がシャッタロック時の回転状態となる。このようにして、この場合も電力供給の停止に応じて、シャッタロック部材４によるシャッタロック状態の解除が行われる。
【００７５】
このような構成とされる第５例としてのロック／ロック解除部の駆動素子（形状記憶合金２２）に対する駆動手法は、先の第１例の場合と同様となる。すなわち、第５例においても駆動装置の構成は先の図８、図９にて説明したものと同様となる。
なお、上記形状記憶合金２２を用いた場合、駆動装置が備えるロック／解除用ドライバ１２は供給電力として例えば数十Ｖ程度を発生するように構成する。
また、第５例においてもシャッタ１Ｄ-2の開閉のための駆動手法は第１例で説明したものと同様となる。
【００７６】
＜６．実施の形態のまとめ＞
以上で説明したように、実施の形態のディスクカートリッジ１によれば、ロータリーシャッタ部１Ｄとしてのシャッタ機構のロック／ロック解除を行うロック／ロック解除部が有する駆動素子に対する通電によらなければ、シャッタ機構のロック／ロック解除を行うことができないものとなる。このことで、例えばメカ機構や磁力を利用した従来のロック／解除機構とする場合と比較して、シャッタの誤開放が生じる可能性をより低くすることができる。
この結果、シャッタが誤開放されることに伴う記録／再生性能の悪化を効果的に抑制できる。
また、特に本実施の形態のように光ディスク１Ｃがホログラム記録媒体（外部光に曝されることで記録材料が反応してしまう虞のある記録媒体）とされる場合には、光ディスク１Ｃが使用不能となってしまう事態の発生の防止をより強固に図ることができる。
【００７７】
また、本実施の形態では、上記駆動素子に対する外部からの電力供給を行うための電極端子（電力入力端子ｔ１,グラウンド端子ｔGND）として、例えば導電ゴムや導電ガラスなど、電極として認識され難い導電材料を用いるものとしているが、このことで、シャッタ１Ｄ-2の誤開放が発生する可能性はさらに低くすることができる。
【００７８】
＜７．変形例＞
以上、本発明の実施の形態について説明したが、本発明としてはこれまでに説明した具体例に限定されるべきものではない。
例えば、シャッタ誤開放の防止効果をさらに高めるために、駆動素子に対する電力供給を行うための電極端子（電力入力端子ｔ１,グラウンド端子ｔGND）の他に、次の図１７に示すようなダミー電極ｔＤを設けることもできる。
この図１７の例では、ディスクカートリッジ１における電力入力端子ｔ１,グラウンド端子ｔGNDの形成された位置の近傍に対し、複数のダミー端子によるダミー電極ｔＤを設けている。
このようなダミー電極ｔＤを設けることで、電力入力端子ｔ１,グラウンド端子ｔGND（つまり真正の電極端子）の特定を困難とすることができ、シャッタ誤開放の防止効果はさらに高めることができる。
【００７９】
またこのとき、ダミーの電極端子同士を内部で結線しておき、テスターを使用した真正電極端子の特定が困難となるようにすることもできる。このようにすれば、シャッタ誤開放の防止効果をさらに高めることができる。
【００８０】
或いは、シャッタ誤開放の防止効果は、次の図１８,図１９で説明するようにして駆動素子への電力供給が非接触（無線）で行われるようにすることでも高めることができる。
つまり、この場合のディスクカートリッジ１には、図１８に示すようにして、電力入力端子ｔ１,グラウンド端子ｔGNDに代えて、非接触電力受信部２４を設けるようにしておく。図示するように、この場合は当該非接触電力受信部２４に対して電力入力線Ｌ１,グラウンド線ＬGNDを接続する。
そして、この場合の駆動装置としては、図１９に示すようにして、電力供給端子Ｔ１,グラウンド端子ＴGND、及びロック／解除用ドライバ１２を省略した上で、代わりに非接触電力送信部２５を備えるようにする。
この場合、電力送受信の方式としては、例えば電磁誘導型のものを挙げることができる。つまりこの場合、上記非接触電力受信部２４は電力受信用のコイル（アンテナ）を備え、上記非接触電力送信部２５は電磁波を発することで上記電力受信用のコイルによる電力の受信が行われるようにする。
この場合の制御部１１は、シャッタ１Ｄ-2のロックを解除すべき状態となったことに応じて、上記非接触電力送信部２５による電力送信（この場合は電磁波の送信）を実行させる。また、シャッタ１Ｄ-2のロック解除時以外には、上記非接触電力送信部２５による電力送信がオフとなるように制御する。この場合も消費電力削減の観点から、シャッタロック解除時には、シャッタ開閉駆動部１３によりロータ１Ｄ-1の回転を開始させたタイミングに応じて非接触電力送信部２５による電力送信を停止させる。
このようにして非接触による電力供給が行われるようにすることで、ユーザの故意による通電でシャッタ１Ｄ-2が誤開放されてしまう可能性を大幅に低減することができ、結果、シャッタ誤開放の防止効果を高めることができる。
【００８１】
またこれまでの説明では、記録媒体カートリッジに設けられたシャッタ機構がロータリーシャッタ部１Ｄとされる場合を例示したが、シャッタ機構については他の構成のものを用いることができる。例えば一例としては、ＭＤ（Mini Disc）やフレキシブルディスクなどで採用されているスライド開閉式のシャッタ機構などを挙げることができる。
【００８２】
またこれまでの説明では、駆動素子に対し有線（電極接触）で電力供給を行う場合において、カートリッジ側に設けられる電極端子を、導電ゴムや導電ガラスなどの電極として認識され難い導電材料で構成する場合を例示したが、勿論、銅などの通常の電極材料を用いることもでき、上記電極端子としては少なくとも導電性を有する材料とされていればよい。
【符号の説明】
【００８３】
１  ディスクカートリッジ、１Ａ  上側シェル、１Ｂ  下側シェル、１ＢR  右側シェル、１ＢR  左側シェル、１Ｃ  光ディスク、ＯＨ１  シェル開口部、ＯＨ２  ロータ開口部、１Ｄ  ロータリーシャッタ部、１Ｄ-1  ロータ、１Ｄ-2  シャッタ、２  閉切り時ロック用凹部、３  開放時ロック用凹部、４  シャッタロック部材、４ａ  ロック用凸部、４ｂ  駆動力受部、４ｃ  ピン挿通口、４ｄ  バネ取付部、５  ソレノイドアクチュエータ、５ａ  可動鉄心、６  コイルバネ、７  ピン、１０  トレー、１１  制御部、１２  ロック／解除用ドライバ、１３  シャッタ開閉駆動部、１４  シャッタ開閉機構、１５  リニアモータ、１６  作動軸、１７  回転モータ、１８  回転バー、１９  制止用ピン、２０  バイメタル、２１,２３  取付部、２２  形状記憶合金、２４  非接触電力受信部、２５  非接触電力送信部、ｔ１,ｔ-1  電力入力端子、Ｔ１  電力供給端子、ｔGND,ｔ-GND,ＴGND  グラウンド端子、Ｌ１  電力入力線、ＬGND  グラウンド線、ｔＤ  ダミー電極
【図１】
2010211851.tif 000003
【図２】
2010211851.tif 000004
【図３】
2010211851.tif 000005
【図４】
2010211851.tif 000006
【図５】
2010211851.tif 000007
【図６】
2010211851.tif 000008
【図７】
2010211851.tif 000009
【図８】
2010211851.tif 000010
【図９】
2010211851.tif 000011
【図１０】
2010211851.tif 000012
【図１１】
2010211851.tif 000013
【図１２】
2010211851.tif 000014
【図１３】
2010211851.tif 000015
【図１４】
2010211851.tif 000016
【図１５】
2010211851.tif 000017
【図１６】
2010211851.tif 000018
【図１７】
2010211851.tif 000019
【図１８】
2010211851.tif 000020
【図１９】
2010211851.tif 000021